(57)【要約】      （修正有）【課題】草刈り機において、刈り取った草の巻き込みを防止する構造に関し、回転歯で刈られた雑草が回転軸に巻きつくのを確実に防止可能とする。【解決手段】先端に回転歯駆動軸の軸受け部８がついた棒状の連結パイプ３を左右に振って、回転歯１で雑草や牧草などを刈る草刈り機において、少なくとも前記の軸受け部の交差部と回転歯面との間をカバーする凹状の深皿１１を回転歯上面に重ねて取付けた構造とする。【選択図】図３
2006197881.tif 000002
【特許請求の範囲】
【請求項１】
先端に回転歯駆動軸の軸受け部がついた棒状の連結パイプを左右に振って、円盤状の回転歯で雑草や牧草などを刈る草刈り機において、
少なくとも前記の軸受け部の交差部と回転歯面との間をカバーする凹状の深皿を回転歯上面に重ねて取付けてなることを特徴とする草刈り機。
【請求項２】
先端に円盤状の回転歯駆動軸の軸受け部がついた棒状の連結パイプを左右に振って、回転歯で雑草や牧草などを刈る草刈り機において、
少なくとも前記の軸受け部の交差部と回転歯面との間をカバーするために回転歯上面に重ねて取付ける深皿を有していることを特徴とする草刈り機。
【請求項３】
先端に回転歯駆動軸の軸受け部がついた棒状の連結パイプを左右に振って、回転歯で雑草や牧草などを刈る草刈り機において、
少なくとも前記の軸受け部をカバーするキャップを取付け固定し、キャップ下端と回転歯面との間は、雑草が入り込めないように微小隙間に設定してなることを特徴とする草刈り機。
【発明の詳細な説明】
【技術分野】
【０００１】
本発明は、草刈り機において、刈り取った草の巻き込みを防止する構造に関する。
【背景技術】
【０００２】
図１は従来の草刈り機の斜視図であり、先端の円盤状回転歯１と手元の携帯エンジン部２との間が連結パイプ３で連結されている。また、連結パイプ３の内部に挿通されている伝動軸によって、エンジン部２の回転力が、先端の回転歯１に伝達される構造になっている。使用に際しては、連結パイプ３のエンジン部２側を、ベルト４で型に吊り下げた状態で、左右２本のハンドル５、６を左右の手で持って、回転歯１を左右に振ることで、雑草や牧草などを刈る。
【０００３】
以上は草刈り機の一般的な構造であるが、回転歯１の回転軸に、刈り取った草が巻きつくのを防ぐために、回転歯１に浅い皿状の小径歯７を重ねて、巻きつこうとする雑草を小径歯７で切断する構造が提案されている。
【０００４】
また、実用新案登録第3043646 号に記載のように、回転歯１の回転軸を支持する軸受け部８から回転歯１と平行方向に棒状体を突出させる構造も提案されている。
【特許文献１】実用新案登録第3043646 号
【発明の開示】
【発明が解決しようとする課題】
【０００５】
ところが、特許文献１のように、軸受け部に棒状体を横向きに設けただけでは、巻き付きを確実に防ぐことはできず、一旦巻きついてしまった雑草の除去作業が、棒状体の存在によってかえって面倒になる。また、図１のように、皿状の小径歯７を設けた構造の場合は、小径歯７に当たった雑草だけは巻きつかないが、小径歯７に当たらなかった雑草は、回転歯１による回転力を受けて、回転軸に巻き付いてしまう。その結果、５〜６分間ごとに作業を中断して、巻き付いた雑草を除去しなければならず、作業効率が悪い。
【０００６】
本発明の技術的課題は、このような問題に着目し、回転歯で刈られた雑草が回転軸に巻きつくのを確実に防止可能とすることにある。
【課題を解決するための手段】
【０００７】
本発明の技術的課題は次のような手段によって解決される。請求項１は、先端に回転歯駆動軸の軸受け部がついた棒状の連結パイプを左右に振って、円盤状の回転歯で雑草や牧草などを刈る草刈り機において、少なくとも前記の軸受け部の交差部と回転歯面との間をカバーする凹状の深皿を回転歯上面に重ねて取付けてなることを特徴とする草刈り機である。このように、回転歯の駆動軸の軸受け部の交差部と回転歯面との間をカバーする凹状の深皿を回転歯上面に重ねて取付けてあるため、刈り取った雑草は、深皿に巻きつこうとしても、遠心力で撥ね飛ばされるたので、深皿に巻き付くことはできない。また、軸受け部の交差部と回転歯面との間は、凹状の深皿でカバーされているため、雑草が駆動軸の部分まで入り込んで巻き付くことはない。
【０００８】
請求項２は、先端に回転歯駆動軸の軸受け部がついた棒状の連結パイプを左右に振って、円盤状の回転歯で雑草や牧草などを刈る草刈り機において、少なくとも前記の軸受け部の交差部と回転歯面との間をカバーするために回転歯上面に重ねて取付ける深皿をアタッチメントとして備えていることを特徴とする草刈り機である。このように深皿をアタッチメントとして備えているから、使用者は必要に応じて回転軸に取り付けて使用できる。このように、回転歯の駆動軸の軸受け部の交差部と回転歯面との間をカバーする凹状の深皿を回転歯上面に重ねて取付けてあるため、刈り取った雑草は、深皿に巻きつこうとしても、遠心力で撥ね飛ばされるので、深皿に巻き付くことはできない。また、軸受け部の交差部と回転歯面との間は、凹状の深皿でカバーされているため、雑草が駆動軸の部分まで入り込んで巻き付くことはない。
【０００９】
請求項３は、先端に回転歯駆動軸の軸受け部がついた棒状の連結パイプを左右に振って、回転歯で雑草や牧草などを刈る草刈り機において、少なくとも前記の軸受け部をカバーするキャップを取付け固定し、キャップ下端と回転歯面との間は、雑草が入り込めないように微小隙間に設定してなることを特徴とする草刈り機である。このように、駆動軸の軸受け部をカバーするキャップを取付け固定すると共に、キャップ下端と回転歯面との間は、雑草が入り込めないように微小隙間に設定してあるため、刈り取った雑草が、キャップ下端と回転歯面との間に入り込んで駆動軸に巻き付くことはない。また、駆動軸の軸受け部はキャップでカバーされているため、刈り取った雑草が軸受け部に巻きついたりすることもない。
【発明の効果】
【００１０】
請求項１のように、回転歯の駆動軸の軸受け部の交差部と回転歯面との間をカバーする凹状の深皿を回転歯上面に重ねて取付けてあるため、刈り取った雑草は、深皿に巻きつこうとしても、遠心力で撥ね飛ばされるので、深皿に巻き付くことはできない。また、軸受け部の交差部と回転歯面との間は、凹状の深皿でカバーされているため、雑草が駆動軸の部分まで入り込んで巻き付くことはない。
【００１１】
請求項２のように、回転歯の駆動軸の軸受け部の交差部と回転歯面との間をカバーするために回転歯上面に重ねて取付ける深皿を有しているため、刈り取った雑草は、深皿に巻きつこうとしても、遠心力で撥ね飛ばされるので、深皿に巻き付くことはできない。また、軸受け部の交差部と回転歯面との間は、凹状の深皿でカバーされているため、雑草が駆動軸の部分まで入り込んで巻き付くことはない。
【００１２】
請求項３のように、駆動軸の軸受け部をカバーするキャップを取付け固定すると共に、キャップ下端と回転歯面との間は、雑草が入り込めない微小隙間に設定してあるため、刈り取った雑草が、キャップ下端と回転歯面との間に入り込んで駆動軸に巻き付くことはない。また、駆動軸の軸受け部はキャップでカバーされているため、刈り取った雑草が軸受け部に巻きついたりすることもない。
【発明を実施するための最良の形態】
【００１３】
次に本発明による草刈り機の巻き込み防止構造が実際上どのように具体化されるか実施形態を説明する。図２は回転歯１に重ねて取付け固定する深皿９の斜視図であり、円形の凹皿状をしている。ただし、少なくとも前記の軸受け部８の交差部ｘと回転歯１の面との間をカバーできる程度の深さｄを要する。深皿９の底板１０の中心の孔ｈは、取付け孔であって、回転歯１の駆動軸を挿通する。
【００１４】
この深皿９を草刈り機に取付けた状態が図３であり、深皿９の底板１０を円盤状の回転歯１に重ねて固定してある。すなわち、底板１０の取付け孔ｈと回転歯１の取付け孔に駆動軸を挿通して、反対側からナットを螺合させることによって、駆動軸に取付け固定する。なお、底板１０の板厚は、ナットの締め込みに支障を来さないように、薄くする必要がある。あるいは、駆動軸先端に回転歯１や深皿９の両方を重ねてナット締めし得るだけの長さを確保しておくものとする。
【００１５】
深皿９の深さや断面形状は、図４のように種々の形態が可能である。（１）は最も簡素なタイプで、連結パイプ３の延長部３８と接しない範囲で、側壁１１が、底板１０に対し直角に立っている。深皿９の深さｄは、軸受け部８の回転歯１寄りを囲い、しかも少なくとも軸受け部８と連結パイプ延長部３８との交差部ｘの高さまで囲える深さが必要である。刈り取った雑草が駆動軸に巻き付かないようにするには、深さｄは深いほどよいが、深すぎると、連結パイプ延長部３８に接触する危険がある。外径は特に限定されないが、軸受け部８を包囲しカバーできれば足りる。
【００１６】
また、側壁１１は、破線で示すように、外側に多少開いた形状でもよいし、鎖線のように内側に多少閉じるような形状にしてもよい。（２）の場合は、内側に閉じるような形状にしてあり、さらに上側の開口端１１ａのみを逆に開くように屈曲させてある。開口端１１ａは、連結パイプ延長部３８の傾斜に沿う方向に屈曲させることで、深さｄをより深くしている。
【００１７】
以上の実施形態は、深皿９が回転歯１と同時に回転する構造であるが、図５のように、軸受け部８に固定キャップ１２を被せて、軸受け部８側を全体的に覆うこともできる。この固定キャップ１２は、軸受け部８に固定するため、前記の深皿９と違って回転はしない。そのため、固定キャップ１２の下端１２ｅと回転歯１の面との間の隙間ｇは可能限り小さいことが望ましい。刈り取った雑草がこの隙間ｇに入り込めないようにするためである。固定キャップ１２の軸受部８への取付けはネジ止めでも溶接でもよい。
【００１８】
図６は前記の固定キャップ１２の斜視図であり、全体的に台形円錐状に傾斜している。そして、斜めに延びた連結パイプ延長部３８が入り込める切り欠き１３を設けてある。なお、駆動軸ａを挿通した回転歯１の上から、駆動軸ａ先端のオネジ部にナットＮを螺合させることで、駆動軸ａに回転歯１を取付け固定してある。
【産業上の利用可能性】
【００１９】
以上のように本発明によると、簡単な深皿やキャップを取り付けるだけで、刈り取った雑草が回転軸に巻き付くのを確実に防止できる。
【図面の簡単な説明】
【００２０】
【図１】従来の草刈り機の斜視図である。
【図２】深皿の実施形態を示す斜視図である。
【図３】深皿を取付けた草刈り機の要部斜視図である。
【図４】深皿の深さや断面形状の各種実施形態を示す断面図である。
【図５】軸受け部に固定キャップを被せた断面図である。
【図６】固定キャップの斜視図である。
【符号の説明】
【００２１】
１  回転歯
３  連結パイプ
７  小径歯
８  軸受け部
９  深皿
１０  底板
ａ  駆動軸
ｘ  交差部
ｄ  深さ
ｈ  取付け孔
１１  側壁
１２  固定キャップ
１３  切り欠き
【図１】
2006197881.tif 000003
【図２】
2006197881.tif 000004
【図３】
2006197881.tif 000005
【図４】
2006197881.tif 000006
【図５】
2006197881.tif 000007
【図６】
2006197881.tif 000008